(57)【要約】  直交周波数分割多重（ＯＦＤＭ）システムでは、送信機および／または受信機は、非直交空間チャネル上で個別のデータ・ストリームを通信する。各空間チャネルは、ＯＦＤＭサブキャリアの同じセットを使用し、空間チャネルにおけるマルチパス特性を利用して周波数帯域幅を増加させずに追加のデータを通信することを可能にする。空間−周波数サブキャリアの変調割当ては、空間チャネル単位を基礎にまたサブキャリア単位を基礎としてダイナミックに割当てられ、チャネルのデータ伝送能力を最大限にする。いくつかの実施例では、各空間チャネルは、複数の空間ダイバシティ・アンテナのうちの１つに関連付けられる。他の実施例では、ビーム形成が実行され、空間チャネル内での信号の送信および／または受信を可能にする。
2007502072.tif 000002
【特許請求の範囲】
【請求項１】
直交周波数分割多重シンボルを示すビットのブロックをコード化されたビットの変数番号のグループへパースするパーサと、
空間−周波数のサブキャリア変調割当てに従って、直交周波数分割多重サブキャリア上の前記グループを個々に変調し、シンボル変調されたサブキャリアを生成するサブキャリア変調器と、
複数の空間チャネルに亘って後続のＲＦ送信のために前記シンボル変調されたサブキャリアから時間領域波形を生成するＩＦＦＴ回路と、
を含むことを特徴とする送信機。
【請求項２】
前記時間領域波形は、前記直交周波数分割多重シンボルを含み、
各直交周波数分割多重サブキャリアは、前記サブキャリア間で実質的な直交性を達成するために他のサブキャリアのほぼ中心周波数で実質的にゼロを有していることを特徴とする請求項１記載の送信機。
【請求項３】
複数の空間ダイバシティ・アンテナの１つは前記空間チャネルの対応する１つに関連し、前記シンボル変調されたサブキャリアに行なわれたＩＦＦＴに起因する前記時間領域波形の１つを個々に送信し、
前記空間チャネルは、少なくとも、わずかに異なるマルチパス特性を有する非直交の空間チャネルであり、
各グループのコード化されたビットの前記変数番号は、前記直交周波数分割多重サブキャリアの対応するサブキャリアおよび空間チャネルの対応するチャネルに対するサブキャリアの変調割当てに基づいている、
ことを特徴とする請求項２記載の送信機。
【請求項４】
前記空間チャネル上で単一のアンテナで後続のＲＦを送信するために前記時間領域波形上でビーム形成を行なうビーム形成器をさらに含むことを特徴とする請求項２記載の送信機。
【請求項５】
前記サブキャリア変調器は、各直交周波数分割多重サブキャリアを個々に変調するためのサブキャリア変調回路を含み、
前記ＩＦＦＴ回路は、前記サブキャリア変調器によって提供される変調されたシンボルに基づいて、前記直交周波数分割多重サブキャリアのための異なる時間領域波形を個々に生成するために、前記空間チャネルの各々に関連するＩＦＦＴ回路を含む、
ことを特徴とする請求項１記載の送信機。
【請求項６】
前記空間チャネルの各々に関連するＲＦ回路をさらに含み、前記ＲＦ回路は前記ＩＦＦＴ回路によって提供される前記時間領域波形を前記空間チャネルの関連するチャネル上で送信するために変調することを特徴とする請求項５記載の送信機。
【請求項７】
前記空間−周波数のサブキャリア変調割当ては、前記空間チャネルの各々に対する各直交周波数分割多重サブキャリアのための変調割当てを含むことを特徴とする請求項１記載の送信機。
【請求項８】
前記パーサは、変数サイズのビットのブロックをビットの空間−周波数グループへパースする空間−周波数パーサであり、各空間−周波数グループは前記直交周波数分割多重シンボルの空間コンポーネントおよび周波数コンポーネントに関連し、前記空間コンポーネントは前記空間チャネルの１つに関連し、前記周波数コンポーネントは前記直交周波数分割多重サブキャリアの１つに関連していることを特徴とする請求項１記載の送信機。
【請求項９】
前記空間−周波数のサブキャリア変調割当ては、前記空間チャネルの各々に対する各直交周波数分割多重サブキャリアのチャネル特性に基づいて、受信局によって提供され、
前記チャネル特性は、前記空間チャネルのために前記受信局によって測定された信号対雑音および干渉の比（ＳＩＮＲ）を含むことを特徴とする請求項１記載の送信機。
【請求項１０】
前記グループの数は、前記空間チャネルの数に前記直交周波数分割多重サブキャリアの数を掛けたものに等しいことを特徴とする請求項１記載の送信機。
【請求項１１】
グループのコード化されたビットの前記変数番号は、０ビットと１０ビットとの間であり、
前記直交周波数分割多重サブキャリアは、Ｎ個のサブキャリアを含み、
前記複数の空間チャネルは、Ｍ個の空間チャネルを含み、
前記サブキャリア変調器は、各サブキャリアのための個々のサブキャリア変調回路を含み、前記個々のサブキャリア変調回路は、各空間チャネルのビットのグループを個々に変調し、
前記パーサは、Ｎ×Ｍ個のビットのグループを提供し、ここでＮとＭは両方とも１００未満の正の整数であることを特徴とする請求項１０記載の送信機。
【請求項１２】
前記個々のサブキャリアの変調割当ては、前記直交周波数分割多重サブキャリアの各々のために、変調なし、ＢＰＳＫ変調、ＱＰＳＫ変調、８−ＰＳＫ変調、１６−ＱＡＭ、３２−ＱＡＭ、６４−ＱＡＭ、１２８−ＱＡＭ、および、２５６−ＱＡＭ変調のうちの１つを含むことを特徴とする請求項１記載の送信機。
【請求項１３】
広帯域チャネルは４つまでのサブチャネルを含み、各々は複数の前記空間チャネルを含み、
前記サブチャネルは、約２０ＭＨｚの帯域幅を有し、
サブチャネルの各サブキャリアは、シンボル当たり０ビットと１０ビットとの間からなる個々の空間−周波数のサブキャリア変調割当てを割当てられ、
各サブキャリアは、前記空間チャネルの対応する１つに関連する前記空間−周波数のサブキャリア変調割当の１つに従って変調されることになっており、
前記送信機は、前記直交周波数分割多重シンボルを前記広帯域チャネルの各サブチャネルの前記空間チャネル上で送信することを特徴とする請求項３記載の送信機。
【請求項１４】
複数の空間チャネルの直交周波数分割多重サブキャリア上で受信されたシンボルの周波数領域表現を生成するＦＦＴ回路と、
空間−周波数のサブキャリア変調割当てに従って、各サブキャリアに対する前記周波数領域表現を復調し、ビットのグループを生成するサブキャリア復調器と、
前記シンボルを表わすコード化された前記ビットのブロックを生成するために前記ビットのグループを結合する逆パーサと、
を含むことを特徴とする受信機。
【請求項１５】
前記ＦＦＴ回路は、前記空間チャネルの各々から周波数領域表現を生成し、
各直交周波数分割多重サブキャリアは、他のサブキャリアのほぼ中心周波数でヌルを有し、前記サブキャリア間に実質的な直交性を達成する、
ことを特徴とする請求項１４記載の受信機。
【請求項１６】
複数の空間ダイバシティ・アンテナの各アンテナは、前記空間チャネルの対応する１つのチャネルに関係し、
前記空間チャネルは、少なくとも、わずかに異なるマルチパス特性を有する非直交の空間チャネルであり、
各グループは、前記直交周波数分割多重サブキャリアの対応するサブキャリアおよび空間チャネルの対応するチャネルに対する空間−周波数のサブキャリア変調割当てに基づくコード化されたビットの前記変数番号を含む、
ことを特徴とする請求項１５記載の受信機。
【請求項１７】
前記空間チャネルの無線周波数信号は、単一のアンテナを通って受信され、前記受信機は、前記空間チャネルの信号を分離するためのビーム形成器をさらに含むことを特徴とする請求項１５記載の受信機。
【請求項１８】
前記シンボルは、直交周波数分割多重シンボルであり、
前記空間−周波数のサブキャリア変調割当ては、前記シンボルを送信するために送信局に提供され、
前記受信機は、サブキャリアの変調割当て生成器をさらに含み、前記送信局への送信に先立って前記空間チャネルのチャネル特性に基づいて前記空間−周波数のサブキャリア変調割当てを決定することを特徴とする請求項１４記載の受信機。
【請求項１９】
直交周波数分割多重シンボルを表わすビットのブロックをコード化されたビットの変数番号を有するグループへパースする段階と、
空間−周波数のサブキャリア変調割当てに従って直交周波数分割多重サブキャリア上の前記ビットのグループを個々に変調し、シンボル変調されたサブキャリアを生成する段階と、
複数の空間チャネルに亘る後続のＲＦ送信のために前記シンボル変調されたサブキャリアに逆高速フーリエ変換（ＩＦＦＴ）を実行することにより時間領域波形を生成する段階と、
を含むことを特徴とする方法。
【請求項２０】
他のサブキャリアのほぼ中心周波数でヌルを具備する前記直交周波数分割多重サブキャリアを生成し、前記サブキャリア間で実質的な直交性を達成する段階と、
前記空間チャネルの対応するチャネル上で前記時間領域波形を送信する段階であって、前記時間領域波形は前記直交周波数分割多重シンボルを含む、段階と、
をさらに含むことを特徴とする請求項１９記載の方法。
【請求項２１】
前記空間チャネルは、少なくとも、わずかに異なるマルチパス特性を有し、前記空間チャネルは、同じサブキャリア周波数の前記直交周波数分割多重サブキャリアを含む非直交のチャネルであり、
各グループのコード化されたビットの前記変数番号は、前記直交周波数分割多重サブキャリアの対応するサブキャリアおよび前記空間チャネルの対応するチャネルのための前記空間−周波数のサブキャリア変調割当ての１つに基づいている、
ことを特徴とする請求項２０記載の方法。
【請求項２２】
複数の空間チャネルに亘る直交周波数分割多重サブキャリア上で受信されたシンボルの周波数領域表現を生成する段階と、
空間−周波数のサブキャリア変調割当てに従って前記アンテナの各々に対する前記サブキャリアのための前記周波数領域表現を別々に復調し、ビットのグループを生成する段階と、
前記ビットのグループからの前記シンボルを生成する段階と、
を含むことを特徴とする方法。
【請求項２３】
前記シンボルは、直交周波数分割多重シンボルであり、前記方法は、前記直交周波数分割多重サブキャリアを受信する段階をさらに含み、前記サブキャリアは、他のサブキャリアのほぼ中心周波数にヌルを有し、前記サブキャリア間に実質的な直交性を達成することを特徴とする請求項２２記載の方法。
【請求項２４】
各空間チャネルは、複数の空間ダイバシティ・アンテナの１つのアンテナによって提供され、各空間チャネルは、少なくとも、わずかに異なるマルチパス特性を有し、
各グループは、前記直交周波数分割多重サブキャリアの対応するサブキャリアおよび前記空間チャネルの対応するチャネルのための前記空間−周波数のサブキャリア変調割当てに基づいてコード化されたビットの変数番号を含む、
ことを特徴とする請求項２２記載の方法。
【請求項２５】
実質的に全方向性の複数の空間ダイバシティ送信アンテナと、
送信機と、を含むシステムであって、前記送信機は、
直交周波数分割多重シンボルを表わすビットのブロックをグループへパースするパーサと、
空間−周波数のサブキャリア変調割当てに従って、直交周波数分割多重サブキャリア上の前記ビットのグループを個々に変調し、シンボル変調されたサブキャリアを生成するサブキャリア変調器と、
前記空間ダイバシティ送信アンテナによる後続のＲＦ送信のために前記シンボル変調されたサブキャリアから時間領域波形を生成するＩＦＦＴ回路と、
を含むことを特徴とするシステム。
【請求項２６】
受信機をさらに含み、前記受信機は、
空間ダイバシティ受信アンテナによって直交周波数分割多重サブキャリア上で受信された受信直交周波数分割多重シンボルの周波数領域表現を生成するＦＦＴ回路と、
受信チャネルの空間−周波数のサブキャリア変調割当てに従って、前記周波数領域表現を復調し、ビットのグループを生成するサブキャリア復調器と、
前記ビットのグループを結合し、前記受信直交周波数分割多重シンボルを表わすコード化されたビットのブロックを生成する逆パーサと、
を含むことを特徴とする請求項２５記載のシステム。
【請求項２７】
前記空間ダイバシティ送信アンテナのうちの１つのアンテナから、前記時間領域波形の対応する波形を送信し、
前記時間領域波形は、前記送信直交周波数分割多重シンボルを含み、
各直交周波数分割多重サブキャリアは、他のサブキャリアのほぼ中心周波数でヌルを有し、前記サブキャリア間で実質的な直交性を達成する、
ことを特徴とする請求項２５記載のシステム。
【請求項２８】
命令を提供する機械読取り可能な媒体であって、前記命令を１以上のプロセッサによって実行する場合、前記プロセッサは、
直交周波数分割多重シンボルを表わすビットのブロックをコード化されたビットの変数番号を有するグループへパースし、
空間−周波数のサブキャリア変調割当てに従って、直交周波数分割多重サブキャリア上の前記ビットのグループを個々に変調し、シンボル変調されたサブキャリアを生成し、
複数の空間チャネルに亘る後続のＲＦ送信のために前記シンボル変調されたサブキャリアに逆高速フーリエ変換（ＩＦＦＴ）を実行することにより、時間領域波形を生成することを含む動作を実行する、
ことを特徴とする機械読取り可能な媒体。
【請求項２９】
１以上のプロセッサによって実行される場合、前記命令によって、前記プロセッサは、
他のサブキャリアのほぼ中心周波数でヌルを有する前記直交周波数分割多重サブキャリアを生成し、前記サブキャリア間で実質的な直交性を達成し、
前記空間チャネルの対応するチャネル上で前記時間領域波形を送信し、前記時間領域波形は前記直交周波数分割多重シンボルを含む、動作を実行する、
ことを特徴とする請求項２８記載の機械読取り可能な媒体。
【請求項３０】
１以上のプロセッサによって実行される場合、前記命令によって、前記プロセッサは動作を実行し、前記空間チャネルは、少なくとも、わずかに異なるマルチパス特性を有し、各空間チャネルは、同じサブキャリア周波数の前記直交周波数分割多重サブキャリアを含む非直交のチャネルであり、
各グループのコード化されたビットの前記変数番号は、前記直交周波数分割多重サブキャリアの対応するサブキャリアおよび前記空間チャネルの対応するチャネルのための前記空間−周波数のサブキャリア変調割当ての１つに基づいている、
ことを特徴とする請求項２８記載の機械読取り可能な媒体。
【発明の詳細な説明】
【技術分野】
【０００１】
本発明の実施例は無線通信に関する。いくつかの実施例では、本発明は直交周波数分割多重通信に関し、また、いくつかの実施例では、本発明はワイヤレス・ローカル・エリア・ネットワークに関する。
【背景技術】
【０００２】
従来の多くの直交周波数分割多重（ＯＦＤＭ）システムにおけるデータ速度は、ＯＦＤＭチャネルのシンボル変調されたサブキャリア上で有効に通信される最大の変調オーダ（例えば、１シンボル当たりのビット）によって制限される。したがって、一般的に、周波数帯域幅を増加させないで追加のデータを通信することのできる装置および方法が必要性とされる。
【０００３】
添付された請求項は、本発明の様々な実施例のうちのいくつかに向けられている。しかしながら、本詳細な説明は、図面とともに検討される場合、本発明の実施例をより完全に理解するために提示され、図面に亘って同じ参照番号は類似の要素を参照する。
【発明の開示】
【０００４】
以下の説明および図面は、当業者が本発明の実施を可能にするために本発明の特定の実施例を十分に図示する。他の実施例は、構造的な、論理的な、電気的な、プロセス上の、および他の変更が伴ってもよい。本実施例は単に可能な変更を示している。もし明示的に要求されない場合、個々の要素および機能は選択的であり、また、動作シーケンスは変更されてもよい。いくつかの実施例における一部および機能は、他の実施例に含まれてもよく、また他に代用されてもよい。本発明の実施例の範囲は、請求項の全範囲およびこれらの請求項におけるすべての可能な均等物に及ぶ。本発明の実施例は、単に便宜上、「発明」という用語で個別にまたは集合的に称されているが、任意の単一の発明または１以上の発明が示されている場合には、その発明概念に対して本願の範囲を任意に制限する意図を有するものではない。
【０００５】
図１は、本発明のいくつかの実施例に従う送信機のブロック図である。送信機１００は、ワイヤレス通信装置の一部であり、直交周波数分割多重（例えば、ＯＦＤＭ）通信信号を送信することができる。送信機１００は、所定の周波数範囲内の通信チャネル上でＯＦＤＭシンボルを送信することができる。チャネルは、複数の直交サブキャリアを含むことができる。いくつかの実施例では、チャネルにおける直交サブキャリアは、接近した間隔に置かれたＯＦＤＭサブキャリアである。接近した間隔に置かれたサブキャリア間での直交性を達成するために、ある特定のチャネルにおけるサブキャリアは、他のサブキャリアの中心周波数で実質的にヌル（null）となる点を有している。
【０００６】
いくつかの実施例では、送信機１００は、チャネルを１またはそれ以上の空間チャネルに「分割する」ために、空間ダイバシティ・アンテナ（spatially diverse antenna）１１４を２以上利用することができる。いくつかの実施例では、各送信アンテナ１１４は、１つの空間チャネルを定義することができる。他の実施例では、ビームフォーミング（ビーム形成：beamforming）がチャネルを空間チャネルに「分割する」ために使用されてもよい。これらの実施例では、各空間チャネルは、他の空間チャネルと同じサブキャリア上で個別か独立したデータ・ストリームを通信するために使用することができ、周波数帯域幅を増加させずに追加のデータの通信を許可する。空間チャネルの使用によって、チャネルのマルチパス特性を利用することができる。いくつかの実施例では、空間チャネルは非直交性のチャネルであってもよいが、本発明の範囲はこの点に制限されるものではない。
【０００７】
いくつかの実施例に従って、送信機１００は、個々のサブキャリアの変調割当て（subcarrier modulation assignment）に従って各空間チャネルのサブキャリアを個々にシンボル変調する。これは適応ビット・ローディング（ＡＢＬ：adaptive bit loading）と称される。従って、１またはそれ以上のビットは、サブキャリア上でシンボル変調されることによって表わされる。各空間チャネルの変調割当ては、その空間チャネルに対するチャネル特性またはチャネル条件に基づくが、本発明の範囲はこの点に制限されることはない。いくつかの実施例では、これらの空間−周波数のサブキャリアの変調割当ては、シンボル当たりゼロビットからシンボル当たり１０またはそれ以上のビットの範囲に広がる。変調レベルの点では、空間−周波数のサブキャリアの変調割当ては、シンボル当たり１ビットを通信する２進位相シフト・キーイング（ＢＰＳＫ）、シンボル当たり２ビットを通信する直角位相シフト・キーイング（ＱＰＳＫ）、シンボル当たり３ビットを通信する８ＰＳＫ、シンボル当たり４ビットを通信する１６−直角位相振幅変調（１６−ＱＡＭ）、シンボル当たり５ビットで通信する３２ＱＡＭ、シンボル当たり６ビットを通信する６４−ＱＡＭ、シンボル当たり７ビットを通信する１２８−ＱＡＭ、シンボル当たり８ビットを通信する２５６−ＱＡＭを含む。１つのサブキャリア当たりより高いデータ通信速度（例えば１０ビット）を有するサブキャリアの変調割当てが使用されてもよい。
【０００８】
ＯＦＤＭシンボルは、すべての空間チャネルの個々のサブキャリア上で変調されたシンボルの組合せとみなされる。シンボル変調されたサブキャリア当たりのビット数が可変するため、および使用される空間チャネル数が可変するために、ＯＦＤＭシンボル当たりのビット数は大きく変化する。例えば、４本の送信アンテナが４つの空間チャネルを提供するために使用され、各空間チャネルが最大４８個のＯＦＤＭデータ・サブキャリアを使用し、各サブキャリアがシンボル当たり０から６ビットの範囲に及ぶ空間−周波数のサブキャリア変調割当てを有する場合、ＯＦＤＭシンボル当たりのビット数は、とりわけ空間チャネルのチャネル条件に依存するが、１１５２ビット（４つの空間チャネル×空間チャネル当たり４８個のデータ・サブキャリア×シンボル当たり６ビット）までの範囲に及ぶ。
【０００９】
いくつかの実施例に従って、空間チャネル上で送信するためのデータは、ビットストリーム１０１の形式で送信機１００に提供される。エンコーダ１０２は、ビットストリーム１０１にフォーワード・エラー訂正コード（ＦＥＣ）を適用し、ビットストリーム１０３からなるコード化ビットを生成する。ビット・インターリーバ１０４は、ビット・ブロック上にインターリービング動作を行ない、インターリーブされたビット・ブロック１０５を生成する。ビット・ブロック１０５はＯＦＤＭシンボルを表わす。パーサ（parser）１０６は、ビット・ブロック１０５をコード化変数番号ビットを有するビット・グループ１０７へパース（parse）する。グループのコード化されたビットの変数番号は、特定の空間チャネルにおける特定のサブキャリアに関連した空間−周波数のサブキャリア変調割当てによって決定される。サブキャリア変調器１０８は、空間−周波数のサブキャリア変調割当てに従って各空間チャネルの対応するＯＦＤＭサブキャリア上でビット・グループ１０７を個別に変調し、シンボル変調されたサブキャリア１０９を生成する。いくつかの実施例では、パーサ１０６は、パラレル形式でサブキャリア変調器１０８にビットのグループを提供するために、シリアルからパラレルへの変換を含む。
【００１０】
いくつかの実施例では、シンボル変調されたサブキャリア１０９は、空間チャネルの各サブキャリアのためにシンボル変調されたサブキャリアを含む。ＯＦＤＭシンボルは、すべてのシンボル変調されたサブキャリア１０９の組合せによって表わされる。これらの実施例のうちのいくつかは、複数の個別サブキャリア変調器１０８（例えば各サブキャリアの１つ）は、各々別々に個別のＯＦＤＭサブキャリアを変調する。これらの実施例では、サブキャリア変調器１０８のそれぞれは、異なる空間チャネルの同じ周波数のサブキャリアのシンボルを変調する。
【００１１】
逆高速フーリエ変換（ＩＦＦＴ）回路１１０は、シンボル変調されたサブキャリア１０９にＩＦＦＴを実行し、ＯＦＤＭシンボルの時間領域表現を生成する。逆離散フーリエ変換（ＩＤＦＴ）のほとんどの形式が、逆変換動作を行なうために使用される。ＩＦＦＴ回路１１０によって生成された時間領域のサンプル数は、周波数コンポーネントの入力数に等しい。いくつかの実施例では、ＩＦＦＴ回路１１０は、その空間チャネルのためにシンボル変調されたサブキャリア１０９の組合せからの各空間チャネルの時間領域波形を生成する。
【００１２】
ＩＦＦＴ回路１１０は、さらに、ＩＦＦＴ動作によって生成された時間領域サンプル、並列の形式であってもよいが、それを１またはそれ以上の連続するシンボルストリーム１１１へ変換する。ＩＦＦＴ回路１１０は、さらにチャネルのシンボル間干渉を減少するために周期的拡張（あるいはガード間隔）を加える。いくつかの実施例では、ＩＦＦＴ回路によって生成された連続するシンボルストリーム１１１の数は、空間チャネルの数に対応する。無線周波数（ＲＦ）回路１１２は、空間チャネルの対応する１つのチャネルへＲＦ送信のために各々の連続するシンボルストリーム１１１を準備するが、本発明の範囲はこの点に制限されることはない。
【００１３】
いくつかの実施例では、空間ダイバシティ・アンテナ１１４のそれぞれは空間チャネルに関係し、ＲＦ回路１１２の関連する１つからＲＦ信号を受信する。空間ダイバシティ・アンテナ１１４は距離を隔てて分離される。最小分離距離は、通信に使用される周波数スペクトルの波長に基づく。いくつかの実施例では、数センチメートルの分離は空間チャネル間のマルチパスの差を保障するために十分であろう。アンテナ１１４は、１以上の指向性または全方向性アンテナ、例えば、ダイポールアンテナ、モノポールアンテナ、ループアンテナ、マイクロストリップ・アンテナ、または、送信機１００によるＲＦ信号の送信に適する他のタイプのアンテナを含む。
【００１４】
いくつかの実施例では、空間−周波数のサブキャリア変調割当ては、特定の空間チャネルにおける特定のサブキャリアに対する信号対干渉および雑音比（ＳＩＮＲ）のようなチャネル条件に基づく。いくつかの実施例では、空間−周波数のサブキャリア変調割当ては、受信局によって決定され提供されるが、本発明の範囲はこの点に制限されることはない。いくつかの実施例では、より高いサブキャリアの変調割当て（例えば、シンボル当たりのビットがより多い）はより良いＳＩＮＲを有するサブキャリアに対して使用されてもよい。
【００１５】
いくつかの実施例では、ビット・インターリーバ１０４は、インターリーバ１０４のインターリーバ行列にビットストリーム１０３のコード化された変数番号ビットを入力する。いくつかの実施例では、コード化された変数番号のビットは１つのＯＦＤＭシンボルを含み、また、そのビットは、ＯＦＤＭシンボル（Ｎｃｂｐｓ）当たりのコード化されたビット数を含む。いくつかの実施例では、システム制御器１１８は、各空間チャネルにおけるサブキャリアに対する空間−周波数のサブキャリア変調割当てに基づいてＯＦＤＭシンボル当たりのコード化された変数番号のビットを計算する。いくつかの実施例では、ＯＦＤＭシンボル（Ｎｃｂｐｓ）当たりのコード化されたビット数は、システム制御器１１８によってビット・インターリーバ１０４に提供される。
【００１６】
いくつかの実施例では、システム制御器１１８は、図示されるように送信機１００の１またはそれ以上の他の要素へ転送フォーマット・パラメータ（transport format parameter）を生成し提供する。転送フォーマット・パラメータは、ＯＦＤＭシンボル当たりのコード化されたビット数と同様に空間−周波数のサブキャリア変調割当ても含む。転送フォーマット・パラメータは、さらにＯＦＤＭシンボルがどのようにして変調されることになっているかを明示するための他の情報を含む。いくつかの実施例では、転送フォーマット・パラメータは、ＯＦＤＭシンボル当たりのコード化されたビット数に加えて、各空間ストリーム上で変調されるべきビット数を含む。いくつかの実施例では、インターリーバ１０４もサブキャリアの変調割当てが提供されるが、本発明の範囲はこの点に制限されることはない。
【００１７】
いくつかの実施例では、パーサ１０６は、ＯＦＤＭシンボルを表わすビット・ブロックをコード化された変数番号ビットを有するグループ中へパースし、サブキャリア変調器１０８は、空間−周波数のサブキャリア変調割当てに従ってＯＦＤＭサブキャリア上のビット・グループを個々に変調し、シンボル変調されたサブキャリア１０９を生成する。ＩＦＦＴ回路１１０は、空間チャネル上の後続のＲＦ送信のためにシンボル変調されたサブキャリアから時間領域波形を生成する。これらの実施例では、ビットのグループ数は、チャネルのＯＦＤＭサブキャリア数が掛けられた空間チャネル数に等しい。
【００１８】
いくつかの実施例では、送信機１００は、各空間チャネルのためのＲＦチェーンを含む。ＲＦチェーンは、ＲＦ回路１１２の１つ含み、各空間チャネルのＩＦＦＴ回路１１０に関連する１つを含む。アンテナ１１４の１つは、各ＲＦチェーンのために図示されているが、これは限定的ではない。他方、変調器１０８は、空間チャネルよりむしろ特定のサブキャリアに関係し、その結果いずれか１つの変調器は各空間チャネルの対応するサブキャリア（つまり同じサブキャリア周波数）を変調する。各サブキャリアに対して、複数のシンボルが変調器１０８の１つによって処理される。
【００１９】
いくつかの実施例において、Ｎ個のＯＦＤＭサブキャリアおよびＭ個の空間チャネルがある場合、パーサ１０６はＮ×Ｍ個のビットのグループを提供する。いくつかの実施例では、ＮとＭは１００未満の正の整数である。４８個のデータ・サブキャリアおよび１０本の空間チャネルがあるいくつかの実施例では、４８０個までのビットのグループがある。６４ＱＡＭの最大変調が使用されるとき、各ビットのグループは、例えば、各々６ビットまでを有するが、本発明の範囲はこの点に制限されることはない。
【００２０】
いくつかの実施例では、パーサ１０６は、空間−周波数ビットのグループへ可変サイズのビットのブロックをパースする空間−周波数パーサである。空間−周波数グループは、それぞれ空間チャネルおよび関連する空間チャネルのサブキャリア周波数に関係している。
【００２１】
いくつかの実施例では、インターリーバ１０４およびパーサ１０６の機能は、以上の説明とは異なった順に行なわれることがある。例えば、パースがインターリービングの前に行なわれることがあるが、本発明の範囲はこの点に制限されることはない。これらの実施例では、シンボル・インターリーバは、パースの後に使用されてもよい。いくつかの実施例では、インターリービングは各空間チャネルに対して別々に行なわれるが、本発明の範囲はこの点に制限されることはない。いくつかの実施例では、エンコーダ１０２は、インターリービング動作を必ずしも要求するとは限らない低密度パリティ・チェック・コード（ＬＤＰＣ）のようなコードを使用してもよい。
【００２２】
いくつかの実施例では、送信機１００は、空間−周波数インターリーバを含む。これらの実施例では、インターリーバ１０４およびパーサ１０６の機能は、空間−周波数インターリーバへ組み合わせられる。これらの実施例では、インターリービングは、パース前に、パース中にまたはパース後に、行なわれることがあり、隣接したビットが少なくとも２つのサブキャリアによって分離されると保証するのを助けるためにあらゆるビットのグループ上で行なわれる。
【００２３】
いくつかの実施例では、送信機１００は、広帯域通信チャネル上でＯＦＤＭシンボルを送信する。広帯域チャネルは、１またはそれ以上のサブチャネルを含む。サブチャネルは、周波数分割多重化され（つまり、周波数で分離され）、所定の周波数範囲内にある。サブチャネルは、１を越える空間チャネルを含み、また、特定のサブチャネルの空間チャネルは、直交のサブキャリアと同じセットを使用する。いくつかの実施例では、広帯域チャネルは、４つまであるいはそれ以上のサブチャネルを含むことがあり、各サブチャネルは４８個までまたはそれ以上の直交データ・サブキャリアを有する。各サブチャネルは、ＲＦチェーン数によって定まる複数の空間チャネルを決定する。これらの実施例のうちのいくつかは、サブチャネルは、ほぼ２０ＭＨｚの帯域幅を有し、また、サブチャネルにおける各空間チャネルの各ＯＦＤＭサブキャリアは、シンボル当たり０ビットと１０ビットの間またはそれ以上のビットの空間−周波数のサブキャリア変調割当てを行なう。これらの実施例では、送信機１００は、広帯域チャネルを含むサブチャネルの空間チャネル上でＯＦＤＭシンボルを送信する。より広いあるいはより狭い帯域幅を伴うサブチャネルがさらに適切であることもある。
【００２４】
いくつかの実施例では、チャネルの周波数スペクトルは、５ＧＨｚの周波数スペクトル、または２．４ＧＨｚの周波数スペクトルのいずれかを含む。これらの実施例では、５ＧＨｚの周波数スペクトルは、およそ４．９から５．９ＧＨｚに及ぶ範囲の周波数を含み、また、２．４ＧＨｚのスペクトルは、およそ２．３ＧＨｚから２．５ＧＨｚに及ぶ範囲の周波数を含み、本発明の範囲はこの点に制限されることはないが、他の周波数スペクトルが等しく適切な場合もある。
【００２５】
図２は、本発明のいくつかの実施例に従う受信機のブロック図である。受信機２００はワイヤレス通信装置の一部であり、１またはそれ以上の空間チャネルを有するＯＦＤＭチャネル上でＯＦＤＭ通信信号を受信する。ＯＦＤＭ信号は、各空間チャネルにおける各サブキャリアのために個々の空間−周波数のサブキャリア変調割当てを使用するＡＢＬ方式に従って送信されたものであればよい。送信機１００（図１）は、適切なＯＦＤＭシンボルを送信する送信機の例であるが、他の送信機がまた適切なこともある。
【００２６】
受信機２００は、複数の空間チャネル上のＯＦＤＭシンボルを受信するために空間ダイバシティ・アンテナ２１４およびＲＦ回路２１２の１つまたはそれ以上を含む。受信機２００は、さらに高速フーリエ変換（ＦＦＴ）回路２１０を含み、ＯＦＤＭサブキャリア上で受信したＯＦＤＭシンボルの周波数領域表現２０９を生成する。受信機２００は、さらに、サブキャリア復調器２０８を含み、周波数領域表現２０９を各空間チャネルからの各サブキャリアに対して空間−周波数のサブキャリア変調割当てに従って復調し、ビットのグループ２０７を生成する。受信機２００は、さらにビットのグループ２０７を組み合わせるために逆パーサ２０６を含み、ＯＦＤＭシンボルを表わすコード化されたビットのブロック２０５を生成する。逆インターリーバ２０４は、コード化されたビットのブロック２０５上で逆インターリービングする動作を行なうことができ、また、デコーダ２０２は、ビットのブロックをデコードし、デコードされたビット・シーケンス２０１を生成する。
【００２７】
いくつかの実施例では、受信機２００は、各空間チャネルに対するＲＦチェーンを含む。ＲＦチェーンは、ＲＦ回路２１２の１つおよび各空間チャネルに対するＦＦＴ回路２１０に関連する１つを含む。いくつかの実施例では、アンテナ２１４は空間ダイバシティ・アンテナであり、また、各々は空間チャネルに関連する。アンテナ２１４の１つは各ＲＦチェーンのために図示されているが、これは必須ではない。他方、復調器２０８は、空間チャネルではなく特定のサブキャリアに関係するが、その結果、任意の１つの復調器は空間チャネルの各々に対応する（同じサブキャリア周波数の）サブキャリアを復調する。各サブキャリアに対して、複数のシンボルが復調器２０８の１つによって処理される。
【００２８】
復調器２０８は様々な方法で実行される。いくつかの実施例では、復調器２０８は、最小平均二乗誤差（ＭＭＳＥ）受信機で実行される。他の実施例では、復調器２０８は、逐次干渉取消しアルゴリズム（successive interference cancellation algorithm）で実行される。他の実施例では、復調器２０８は、最尤（ＭＬ：maximum likelihood）復調器、あるいは球面デコードのようなフルまたは限定の検索空間アルゴリズムを備える（差分−最小―差分差復調のような）ソフト出力のＭＬ類似の復調器で実行される。いくつかの実施例では、復調器２０８はソフト・ビット・レベルの対数尤度比（ＬＬＲ：log-likelihood ratio）を伝え、続いて逆インターリーブされて、デコーダ２０２に送られるが、本発明の範囲はこれらの点に制限されるものではない。
【００２９】
いくつかの実施例では、受信機２００は、ＯＦＤＭシンボルを受信機２００に送信する際の使用のために、空間−周波数のサブキャリア変調割当てを送信局に提供する。これらの実施例では、受信機２００はサブキャリアの変調割当て生成器を含み、直交周波数分割多重サブキャリアの各々に対するチャネル特性に基づいて空間−周波数のサブキャリア変調割当てを決定する。チャネル特性は、受信機２００によって測定された空間チャネルからの信号対雑音および干渉比（ＳＩＮＲ）を含むが、本発明の範囲はこの点に制限されることはない。
【００３０】
いくつかの実施例では、受信機２００のような受信局は、各サブキャリアに対しマルチ入力・マルチ出力（ＭＩＭＯ）チャネルを測定する。ＭＩＭＯチャネルは、複数の空間的に異なった経路を含む。受信局は、各サブキャリアに対する空間サブチャネルＳＩＮＲを計算するためにこれらの測定を使用する。これらの実施例では、受信局は、各送受信アンテナ対のチャネル期間を含むマトリックス・チャネルを使用することができ、各サブキャリアのＳＩＮＲを計算するためにマトリックスを使用するが、本発明の範囲はこの点に制限されることはない。
【００３１】
いくつかの実施例では、送信機１００（図１）および／または受信機２００は、ＩＥＥＥ８０２．１１（ａ），８０２．１１（ｂ），８０２．１１（ｇ／ｈ）および／またはワイヤレス・ローカル・エリア・ネットワーク（ＷＬＡＮ）通信のための８０２．１６標準のような特定の通信基準に従って、ＲＦ信号を送信または受信することができるが、送信機１００および／または受信機２００は、さらに他の技術に従って、通信を送信または受信するのに適合させてもよい。いくつかの実施例では、ＲＦ信号は、５ＧＨｚの周波数スペクトルまたは２．４ＧＨｚの周波数スペクトルのいずれかで変調された複数のシンボル・サブキャリアからなるＯＦＤＭ信号を含む。
【００３２】
いくつかの実施例では、送信機１００（図１）および／または受信機２００は、ワイヤレス通信装置の一部である。ワイヤレス通信装置は、個人用デジタル情報処理端末（ＰＤＡ）、ワイヤレス通信能力を有するラップトップまたはポータブル・コンピュータ、ウェブ・タブレット、ワイヤレス電話、ワイヤレス・ヘッドホーン、ページャ、インスタント・メッセージング装置、ＭＰ３プレーヤ、デジタル・カメラ、情報をワイヤレスに受信および／または送信できるアクセス・ポイントまたは他の装置である。
【００３３】
送信機１００（図１）および受信機２００はいくつかの個別の機能要素を有するものとして図示されるが、１つまたはそれ以上の機能要素が組み合わされ、ソフトウェア構成の要素を組み合わせて実行できるようにしてもよく、例えば、デジタル信号プロセサ（ＤＳＰ）および／または他のハードウェア要素を含む処理要素でもよい。例えば、いくつかの要素は、少なくともここに説明された機能を実行するために、１以上のマイクロプロセッサ、ＤＳＰ、特定用途向け集積回路（ＡＳＩＣ）、および多様なハードウェアおよび論理回路の組合せを含む。
【００３４】
送信機１００（図１）および受信機２００（図２）がワイヤレス通信装置を含む場合、送信に使用される空間ダイバシティ・アンテナ数は受信に使用される空間ダイバシティ・アンテナ数と等しいという要求はない。いくつかの実施例では、空間的に異なる１セットアンテナがワイヤレス通信装置によって受信と送信の両方に使用されてもよい。しかしながら、いくつかの実施例に従って、送信機１００（図１）は送信のために使用される各空間チャネルのＲＦチェーンを含めてもよく、また、受信機２００（図２）は受信のために使用される各空間チャネルのＲＦチェーンを含めることができる。いくつかの実施例では、受信機２００は、単一の受信アンテナを通して、あるいは１を超える受信アンテナを通して受信するためのビーム形成回路を含めてもよく、その数は空間チャネルの数に必ずしも対応していなくてもよい。
【００３５】
図３は、本発明のいくつかの実施例に従うワイヤレス通信装置のブロック図である。ワイヤレス通信装置３００は、送受信機３０２、データ・プロセッサ３０４、空間的に異なる送信アンテナ３０６および空間的に異なる受信アンテナ３０８を含む。データ・プロセッサ３０４は、送受信機３０２の送信機部分による送信のために、ビットストリーム１０１（図１）のようなビットストリームを生成する。データ・プロセッサ３０４は、また、送受信機３０２の受信機部分から、ビットストリーム２０１（図２）のようなデコードされたビットストリームを受信する。
【００３６】
ワイヤレス通信装置３００は、ＯＦＤＭシステムで動作、空間チャネル上の個別のデータ・ストリームを通信するためにマルチアンテナ３０６および３０８を使用する。いくつかの実施例では、各空間チャネルは、（受信または送信するために）同じセットのＯＦＤＭサブキャリアを使用し、空間チャネルの異なるマルチパス特性を利用して周波数帯域幅を増加させずに追加のデータ通信ができる利点をもたらす。いくつかの実施例に従って、空間−周波数のサブキャリア変調割当てが、空間チャネル当たりのサブキャリアを基礎にダイナミックに割当てられ、チャネルのデータ伝送能力を最大限にする。
【００３７】
いくつかの実施例では、他の送受信機もまた適しているが、送信機１００（図１）および受信機２００（図２）は、送受信機３０２として使用するのに適している。これらの実施例いくつかでは、送信機と受信機は、ＩＦＦＴ回路およびＦＦＴ回路を共有する。いくつかの実施例では、送受信機３０２は、時分割双方向モードで動作し、送信および受信の両方に使用するための空間的に異なる単一セットのアンテナを使用してもよいが、本発明の範囲はこの点に制限されることはない。
【００３８】
いくつかの実施例では、送受信機３０２は送信アンテナのビーム形成器を含めることができ、単一の送信アンテナ、または１以上のアンテナ３０６のような複数の送信アンテナを備える空間チャネル上で後続のＲＦ送信のために時間領域波形上でビーム形成を行なうことができる。いくつかの実施例では、送受信機３０２は受信アンテナのビーム形成器を含めることができ、単一の受信アンテナ、または１以上のアンテナ３０８のような複数の受信アンテナを備える空間チャネル上で後続のＲＦ送信のために時間領域波形上でビーム形成を行なうことができる。これらの実施例では、アンテナ３０８およびアンテナ３０６は、必ずしも空間チャネルに関係している必要はない。
【００３９】
ワイヤレス通信装置３００はＭＩＭＯシステムとして図示される。これらの実施例では、ワイヤレス通信装置は１を越える出力データ経路用に１を越える送信アンテナを使用し、１を越える入力データ経路用に１つを越える受信アンテナを使用する。他の実施例では、ワイヤレス通信装置３００は、単一の送信アンテナ３０６、および１を超える空間的に異なる受信アンテナ３０８を使用してもよい。他の実施例では、ワイヤレス通信装置３００は、単一の受信アンテナ３０８、および１を超える空間的に異なる送信アンテナ３０６を使用してもよい。
【００４０】
いくつかの実施例では、単一の送信アンテナは、ビーム形成および／またはビーム操作技術により、１を越える空間チャネルを介して送信するために使用されてもよい。これらの実施例では、送受信機３０２の送信機の部分は、各空間チャネルに関連したＲＦチェーンを含む。いくつかの実施例では、単一の受信アンテナは、ビーム形成および／またはビーム操作技術により、１を越える空間チャネルを介して受信するために使用されてもよい。これらの実施例では、送受信機３０２の受信機の部分は、また各空間チャネルに関連したＲＦチェーンを含む。
【００４１】
ある実施例では、受信と送信は、１以上の同じアンテナによって達成することができ、適切なダイプレックスまたは信号分離回路が受信および送信信号を分離するために使用される。
【００４２】
いくつかの実施例中で、装置３００がＷＬＡＮの一部のようなＯＦＤＭ通信システムの一部として動作するとき、転送フォーマットは、送信局と受信局の両方で既知である。時間分割双方向（ＴＤＤ）の実施例では、チャネル相互関係により、リンクの両端は、空間−周波数のサブキャリア変調割当ての選択のために同じ転送フォーマット・パラメータ選択アルゴリズムを適用することができる。しかしながら、推定エラーによって、実際に送信されたのと異なるフォーマットが受信局で適用されてもよい。他の実施例では、転送フォーマット・パラメータは、送信局と受信局との間で交渉されてもよい。いくつかの実施例では、発送要求／送信可信号（ＲＴＳ／ＣＴＳ）構造が使用されるが、本発明の範囲はこの点に制限されることはない。
【００４３】
図４は、本発明のいくつかの実施例に従うＯＦＤＭシンボルの送信手順のフローチャートである。ＯＦＤＭシンボル送信手順４００は送信機１００（図１）のような送信機によって行なわれ、空間−周波数のサブキャリア変調割当てに従って、ＯＦＤＭシンボルを生成し、かつ２以上の空間チャネル上にＯＦＤＭシンボルを送信するが、他の送信機がまた適切なこともある。
【００４４】
動作４０２では、ＯＦＤＭシンボルを表わす、コード化されたビットのブロックははさまれる。ＯＦＤＭシンボルはＯＦＤＭシンボル（Ｎｃｂｐｓ）４０３当たり複数のコード化されたビットを含み、ＯＦＤＭシンボルは各空間チャネルに対する各サブキャリアのための空間−周波数のサブキャリア変調割当てによって決定される。いくつかの実施例では、空間−周波数のサブキャリア変調割当ての数は、空間チャネルの数を掛けたサブキャリアの数と等しい。いくつかの実施例では、動作４０２はビット・インターリーバ１０４（図１）によって行なわれるが、本発明の範囲はこの点に制限されることはない。
【００４５】
動作４０４では、ビットはシンボルを表わすグループへパース（parse）される。いくつかの実施例では、動作４０４におけるパースは、動作４０２のインターリービングに先立って行なわれる。これらの実施例では、インターリービングは各パースされたビットのグループ上で行なわれるが、本発明の範囲はこの点に制限されることはない。個々のグループ当たりのビット数は、関連する空間チャネルのための各サブキャリアに対する空間−周波数のサブキャリア変調割当てに基づく。グループの数は、空間チャネル数を掛けたサブキャリア数と等しい。いくつかの実施例では、動作４０４はパーサ１０６（図１）によって行なわれるが、本発明の範囲はこの点に制限されることはない。
【００４６】
動作４０６において、シンボルを表わすビットのグループはＯＦＤＭサブキャリア上へ変調され、各空間チャネルのためにシンボル変調されたキャリアを生成する。その変調は、関連する空間チャネルのための各サブキャリアに対する空間−周波数のサブキャリア変調割当てに基づく。いくつかの実施例では、動作４０６はサブキャリア変調器１０８（図１）によって行なわれるが、本発明の範囲はこの点に制限されることはない。変調器１０８（図１）は、個々のサブキャリアと関連している。
【００４７】
動作４０８では、時間領域波形は各空間チャネルに対して生成される。時間領域波形は、空間チャネルに関連したすべてのＯＦＤＭサブキャリアから生成される。いくつかの実施例では、動作４０８はＩＦＦＴ回路１１０（図１）によって行なわれるが、本発明の範囲はこの点に制限されることはない。これらの実施例では、変調器は各サブキャリアのために提供され、また、ＩＦＦＴプロセッサは各空間チャネルのために提供される。
【００４８】
動作４１０では、時間領域波形を含むＯＦＤＭシンボルは、空間チャネルを通して送信される。動作４１０は、１以上のアンテナ１１４（図１）を備えるＲＦ回路１１２（図１）によって実行されるが、本発明の範囲はこの点に制限されることはない。いくつかの実施例では、動作４０８および動作４１０は、各空間チャネルに関連するＲＦチェーンを備えるＲＦ信号を生成すること含む。例えば、ＲＦチェーンは、各空間チャネルのために、ＲＦ回路１１２（図１）の１つ、および、ＩＦＦＴ回路１１０（図１）に関連する１つを含む。いくつかの実施例では、各ＲＦチェーンは、対応する空間チャネルに関連したＲＦ信号を送信するためのアンテナを含むが、本発明の範囲はこの点で制限されていない。
【００４９】
他の実施例では、単一のアンテナまたは空間チャネル数と必ずしも関係しない別のアンテナ数が使用されてもよい。これらの実施例では、動作４１０は、ＲＦ回路１１２（図１）の出力上でビーム形成をする動作を行なうが、これは他のアンテナ数における単一のアンテナから各空間チャネル上へＲＦ信号を送信することを可能にする。
【００５０】
図５は、本発明のいくつかの実施例に従うＯＦＤＭシンボルの受信手順のフローチャートである。ＯＦＤＭシンボル受信手順５００は、受信機２００（図２）のような受信機によって行なわれるが、空間−周波数のサブキャリア変調割当てに従って送信された２以上の空間チャネル上のＯＦＤＭシンボルを受信する。
【００５１】
動作５０２では、ＯＦＤＭシンボルは、複数の空間チャネル上で受信される。いくつかの実施例では、空間チャネルは、空間ダイバシティ・アンテナに関連する。他の実施例では、空間チャネルは、単一アンテナまたは空間チャネル数と必ずしも関係しない他の数のアンテナを使用して受信されてもよい。動作５０２は、受信ＲＦ信号を各空間チャネルのために連続するシンボルストリームに変換することを含む。いくつかの実施例では、動作５０２はＲＦ回路２１２（図２）によって行なわれるが、本発明の範囲はこの点に制限されることはない。
【００５２】
動作５０４では、周波数領域表現は、各空間チャネルのために生成される。いくつかの実施例では、ＦＦＴ回路２１０（図２）は動作５０４を実行するが、本発明の範囲はこの点に制限されることはない。
【００５３】
動作５０６は、各サブキャリアおよび各空間チャネルに関連した空間−周波数のサブキャリア変調割当てに基づいて、周波数領域表現を復調する。動作５０６は、また、空間−周波数のサブキャリア変調割当てに基づいて、各空間チャネル上で受信された各サブキャリアからのビットのグループを生成する。いくつかの実施例では、動作５０６は復調器２０８（図２）によって行なわれるが、本発明の範囲はこの点に制限されることはない。
【００５４】
いくつかの実施例では、動作５０２および動作５０４は、各空間チャネルのためのＲＦチェーンによって行なわれる。例えば、ＲＦチェーンは、各空間チャネルのために、ＲＦ回路２１２（図２）に１つ、およびＦＦＴ回路２１０（図２）に関連する１つを含む。アンテナ２１４（図２）の１つは各ＲＦチェーンのために図示されているが、これは限定されることはない。復調器２０８（図２）は、動作５０６を実行し、空間チャネルよりむしろ特定のサブキャリアに関連するが、その結果復調器は各空間チャネルの対応するサブキャリア（つまり同じサブキャリアの周波数）を復調する。
【００５５】
いくつかの実施例では、各ＲＦチェーンは、対応する空間チャネルに関連したＲＦ信号を受信するためのアンテナを含むが、本発明の範囲はこの点に制限されることはない。他のいくつかの実施例では、単一のアンテナまたは空間チャネル数とは必ずしも関係しない別の数のアンテナが使用されてもよい。これらの他の実施例では、動作５０２はＲＦ回路２１２（図２）へのいずれかの入力上でビーム形成を行なうが、各空間チャネルのためのＲＦシグナルの分離を可能にする。
【００５６】
動作５０８は、ビットのブロックを生成するために空間−周波数のサブキャリア変調割当てに基づいて適切な順にビットのグループを結合する。いくつかの実施例では、動作５０８は逆パーサ２０６（図２）によって行なわれるが、本発明の範囲はこの点に制限されることはない。
【００５７】
動作５１０は、ＯＦＤＭシンボルを表わす複数のコード化されたビットを生成するためにブロックを逆インターリーブをする。動作５１０は、逆インターリーバ２０４（図２）によって行なわれるが、本発明の範囲はこの点に制限されることはない。ブロックはコード化されたビットストリームを生成するために続いてデコードされる。いくつかの実施例では、そのパースは逆インターリーブの前に行なわれる。
【００５８】
手順４００（図４）および手順５００の個々の動作が別の動作として図示され、説明されているが、単独または複数の個々の動作が同時に行なわれてもよく、また、動作が図示された順に行なわれることを必要としない。
【００５９】
本発明の実施例は、１つまたはハードウェア、ファームウェアおよびソフトウェアの組合せで実行されてもよい。本発明の実施例も、機械読取り可能な媒体上に格納された命令として実行されてもよく、それはここに説明された動作を実行するために少なくとも１つのプロセッサによって読取られ実行される。機械読取り可能な媒体は、機械（例えばコンピュータ）によって読取り可能な形式で情報を格納するか送信するためのあらゆる機構を含む。例えば、機械読取り可能な媒体は、リード・オンリ・メモリ（ＲＯＭ）、ランダム・アクセス・メモリ（ＲＡＭ）、磁気ディスク格納装置媒体、光学格納媒体、フラッシュ・メモリ装置、電気的、光学的、音響的、あるいは他の形式の伝播信号（例えば搬送波、赤外線信号、デジタル信号など）および他のものを含む。
【００６０】
本要約は、技術的な説明の情報の性質および要点を確認することを可能にする要約を求める37 C.F.R. Section 1.72(b)に適合するために提供される。請求項の範囲または意味を制限するか解釈するためには使用されないという理解で提出されている。
【００６１】
前述の詳細な説明では、様々な特徴は、明細書の情報を簡素化する目的で場合によっては単一の実施例中にひとまとめにされている。明細書の情報は、本主題に係るクレームされた実施例が各請求項で明示的に列挙されているより多くの特徴を要求すると発明を反映しているものとして解釈すべきではない。むしろ、次の請求項が反映するように、本発明は、開示された単一の実施例中のすべての機能を含むものではない。したがって、次の請求項は詳細な説明中に組み入れられるとともに、各請求項は個別の好適な実施例として主張するものである。
【図面の簡単な説明】
【００６２】
【図１】本発明のいくつかの実施例に従う送信機のブロック図である。
【図２】本発明のいくつかの実施例に従う受信機のブロック図である。
【図３】本発明のいくつかの実施例に従うワイヤレス通信装置のブロック図である。
【図４】本発明のいくつかの実施例に従うＯＦＤＭシンボル送信手順のフローチャートである。
【図５】本発明のいくつかの実施例に従うＯＦＤＭシンボル受信手順のフローチャートである。
【図１】
2007502072.tif 000003
【図２】
2007502072.tif 000004
【図３】
2007502072.tif 000005
【図４】
2007502072.tif 000006
【図５】
2007502072.tif 000007
【国際調査報告】
2007502072.tif 000008
2007502072.tif 000009